(57)【要約】【課題】シートの長さを微調整することが可能な冷気の侵入および流出防止シート提供することができ、冷気の侵入および流出を防止することができる。【解決手段】矩形のシート１０であって、シート１０には、シートの長手方向と平行に設けられた複数の縦方向切断部２２と、シートの長手方向と垂直に設けられた複数の横方向切断部３２とが設けられており、シート１０に設けられた横方向切断部３２と隣り合う横方向切断部３２との間隔が異なる３種類以上の領域４０、４２、４４を有することを特徴とする冷気の侵入および流出防止シートである。【選択図】図１
0003218696.tif 000002
【実用新案登録請求の範囲】
【請求項１】
矩形のシートであって、
前記シートには、前記シートの長手方向と平行に設けられた複数の縦方向切断部と、前記シートの長手方向と垂直に設けられた複数の横方向切断部とが設けられており、
前記シートに設けられた前記横方向切断部と隣り合う前記横方向切断部との間隔が異なる３種類以上の領域を有することを特徴とする、冷気の侵入および流出防止シート。
【請求項２】
前記シートの下辺部側に設けられた前記横方向切断部の間隔は、前記シートの下辺部側以外の部分に設けられた前記横方向切断部の間隔よりも狭いことを特徴とする、請求項１に記載する冷気の侵入および流出防止シート。
【請求項３】
前記シートは、
前記シートに設けられた前記横方向切断部と隣り合う前記横方向切断部との間隔が広い領域である第１の領域と、
前記シートに設けられた前記横方向切断部と隣り合う前記横方向切断部との間隔が中程度の広さの領域である第２の領域と、
前記シートに設けられた前記横方向切断部と隣り合う前記横方向切断部との間隔が狭い領域である第３の領域と、
を有し、
前記横方向切断部と前記縦方向切断部とは、他の部分と比べて、粗く形成されていることを特徴とする請求項１に記載する冷気の侵入および流出防止シート。
【請求項４】
前記シートが透光性を有することを特徴とする、請求項１ないし請求項３のいずれかに記載する冷気の侵入および流出防止シート。
【請求項５】
前記シートの上辺部に吊掛部が設けられており、
前記吊掛部は、前記縦方向切断部によって区切られる領域ごとに開口穴部が設けられ、
室内を通り抜けすることができる出入口や開口部の高さ方向支持部材の間に前記シートを設置し、室内の出入口や開口部の上部の横方向支持部材から床や横方向開口部材まで前記シートによって覆うことを特徴とする請求項１ないし請求項４に記載する冷気の侵入および流出防止シート。
【請求項６】
前記シートは糸で形成されており、
又は、前記シートは、編成または織成された糸に、樹脂製のフィルム若しくはシートを貼着又は樹脂を含浸させて形成されており、
前記横方向切断部において、一方の臨界端縁と他方の臨界端縁との間が、切断することができる間隔を有して、前記シートの左辺部から右辺部に亘って連続して設けられており、横方向の臨界端縁と縦方向の支持糸とが直交するように形成されていることを特徴とする請求項１ないし請求項５のいずれかに記載する冷気の侵入および流出防止シート。
【考案の詳細な説明】
【技術分野】
【０００１】
本考案は、扉の無い間仕切りや階段などに設置し、冬場において室外から室内への冷気の侵入や、夏場において室内から室外への冷気の流出を防止するために用いられるシートに関するものである。
【背景技術】
【０００２】
従来から冬場に、扉の無い間仕切りや階段にカーテンを設け、室温調整がされている部屋の外から中へ、冷気が侵入することを防止している。また、夏場にも扉の無い間仕切りや階段にカーテンを設けることにより、室温調整がされている部屋の中から外へ冷気が流出することを防止している。例えば、扉の無い間仕切りや階段の上部の壁と壁との間に、カーテンレールや棒を設置して、カーテンレールや棒にカーテンを吊るして設置することが多い。しかしながら、カーテンを設置した場合は、扉の無い間仕切りや階段を通行する際に一方側にカーテンを移動させると、カーテン布がかさ張り、通路が狭くなるという問題があった。
【０００３】
そこで、特許文献１のような縦糸と横糸とで形成される織成布（冷気の侵入および流出防止シート）の特定部位に少なくとも縦糸が１本以上存在しない粗縦糸部を形成し、粗縦糸部を折り曲げてアコーディオン形状の形成を容易にした織成布が開示されている。折りたたむ場合に、折り目である粗縦糸部には縦糸が無いため、他の部分と比較して柔くなり容易に折りたたむことができ、従来、アコーディオン形状を作る場合に必要としていた数多くの部品を使用することもなく、しかもコスト面でもはるかに安価にアコーディオン形状の織成布を作ることができる。特許文献１の織成布を扉の無い間仕切りや階段に設置することにより、通行する場合に一方側に織成布を移動させると、通路が狭くなるという問題は解決された。
しかしながら、冷気は室内の下のほうに溜まりやすいため、設置場所の高さにあわせて織成布（冷気の侵入および流出防止シート）の長さの調整が必要である。特許文献１の織成布が扉の無い間仕切りや階段の高さよりも長い場合、この織成布を裁断する必要がある。裁断する場合に、真っ直ぐ切ることができず切断線が曲がってしまったり、織成布の地目が曲がっている箇所を直線状に切断したりすると、織成布の横糸を切断してしまい、ほつれが生じることが多かった。そこで、図８に示すような縦糸と横糸とで形成される織成布の特定部位に少なくとも縦糸が１本以上存在しない粗縦糸部と少なくとも横糸が１本以上存在しない粗横糸部とを形成した織成布（冷気の侵入および流出防止シート）が知られている。
【先行技術文献】
【特許文献】
【０００４】
【特許文献１】特開２０００−６４１４７号公報
【考案の概要】
【考案が解決しようとする課題】
【０００５】
しかしながら、図８に示すような織成布（冷気の侵入および流出防止シート）は、高さ方向の全領域に亘って粗縦糸部と粗横糸部とが等間隔（約１０ｃｍ）に設けられている。扉の無い間仕切りや階段の高さが、粗横糸部と粗横糸部との間となる場合は、粗横糸部が設けられていない部分で織成布を裁断する必要がある。この場合、特許文献１の織成布と同様に、裁断する場合に、真っ直ぐ切ることができず切断線が曲がってしまったり、織成布の地目が曲がっている箇所を直線状に切断したりすることで、織成布の横糸を切断してしまい、ほつれが生じてしまうという問題があった。また、扉の無い間仕切りや階段の高さよりも短い位置の粗横糸部を切断すると、床から織成布の下端との間に隙間ができるため、冷気が隙間から侵入または流出するという問題があった。
【０００６】
それゆえに、本考案の主たる目的は、設置場所の高さにあわせてシートの下辺部においてシートの長さを調整することが可能な冷気の侵入および流出防止シート提供することである。
【課題を解決するための手段】
【０００７】
本考案にかかる冷気の侵入および流出防止シートは、矩形のシートであって、シートには、シートの長手方向と平行に設けられた複数の縦方向切断部と、シートの長手方向と垂直に設けられた複数の横方向切断部とが設けられており、シートに設けられた横方向切断部と隣り合う横方向切断部との間隔が異なる３種類以上の領域を有することを特徴とする。
また、本考案にかかる冷気の侵入および流出防止シートは、シートの下辺部側に設けられた横方向切断部の間隔が、シートの下辺部側以外の部分に設けられた横方向切断部の間隔よりも狭いことが好ましい。
さらに、本考案にかかる冷気の侵入および流出防止シートは、シートに設けられた横方向切断部と隣り合う横方向切断部との間隔が広い領域である第１の領域と、シートに設けられた横方向切断部と隣り合う横方向切断部との間隔が中程度の広さの領域である第２の領域と、シートに設けられた横方向切断部と隣り合う横方向切断部との間隔が狭い領域である第３の領域と、を有し、横方向切断部と縦方向切断部とは、他の部分と比べて、粗く形成されていることが好ましい。
また、本考案にかかる冷気の侵入および流出防止シートは、透光性を有することが好ましい。
さらに、本考案にかかる冷気の侵入および流出防止シートは、シートの上辺部に吊掛部が設けられており、吊掛部は縦方向切断部によって区切られる領域ごとに開口穴部が設けられ、室内を通り抜けすることができる出入口や開口部の高さ方向支持部材の間にシートを設置し、室内の出入口や開口部の上部の横方向支持部材から床や横方向開口部材までシートによって覆われていることが好ましい。
また、本考案にかかる冷気の侵入および流出防止シートは、糸で形成されており、又は編成または織成された糸に、樹脂製のフィルム若しくはシートを貼着又は樹脂を含浸させて形成されており、横方向切断部において、一方の臨界端縁と他方の臨界端縁との間が、切断することができる間隔を有して、シートの左辺部から右辺部に亘って連続して設けられており、横方向の臨界端縁と縦方向の支持糸とが直交するように形成されていることが好ましい。
【０００８】
本考案にかかる冷気の侵入および流出防止シートが、矩形のシートであって、シートには、シートの長手方向と平行に設けられた複数の縦方向切断部と、シートの長手方向と垂直に設けられた複数の横方向切断部とが設けられており、シートに設けられた横方向切断部と隣り合う横方向切断部との間隔が異なる３種類以上の領域を有することにより、横方向切断部に沿って切断することができるので、設置場所の高さに合わせて下辺部側を切断する場合に、微調整することが容易となる。特許文献１や図８のような冷気の侵入および流出防止シート（織成布）では、設置場所の高さにあわせて下辺部側を切断すると、横方向の切断線がないところで切断せざるを得ない場合があり、冷気の侵入および流出防止シートの下辺部が床と擦れることによって、冷気の侵入および流出防止シートの糸がほつれてしまうことがあった。しかし、本考案に係る冷気侵入および流出防止シートでは、隣り合う横方向切断部の間隔が広い領域と狭い領域とを設けることで、設置場所の高さにあわせて微調整しやすくなる。
さらに、本考案にかかる冷気の侵入および流出防止シートには、シートの長手方向と平行に設けられた複数の縦方向切断部が設けられているため、縦方向切断部において、アコーディオン状に折りたたみやすくなる。したがって、冷気の侵入および流出防止シートを一方側に移動させると、冷気の侵入および流出防止シートは幅方向に狭くなり、通行を妨げることなく、設置することができる。
また、本考案にかかる冷気の侵入および流出防止シートは、シートの下辺部側に設けられた横方向切断部の間隔が、シートの下辺部側以外の部分に設けられた横方向切断部の間隔よりも狭くなっていることにより、設置場所によって長さ調整が必要な場合であっても、下辺部側において横方向切断部の間隔が狭くなっているため、高さ方向の長さの微調整がしやすくなる。
また、さらに、本考案にかかる冷気の侵入および流出防止シートに設けられた横方向切断部と隣り合う横方向切断部との間隔が広い領域である第１の領域と、シートに設けられた横方向切断部と隣り合う横方向切断部との間隔が中程度の広さの領域である第２の領域と、シートに設けられた横方向切断部と隣り合う横方向切断部との間隔が狭い領域である第３の領域と、を有し、横方向切断部と縦方向切断部とは、他の部分と比べて、粗く形成されているにより、設置場所にあわせて、高さ方向および幅方向の長さ調整をすることが可能となる。
また、本考案にかかる冷気の侵入および流出防止シートは、透光性を有することにより、本考案にかかる冷気の侵入および流出防止シートを設置したとしても、完全に遮光されないため、冷気の侵入および流出防止シートを設置した両側において閉塞感はない。また、他方側の様子が冷気の侵入および流出防止シートを通して見ることができ、防犯面でも安心して設置が可能である。
また、本考案にかかる冷気の侵入および流出防止シートは、シートの上辺部に吊掛部が設けられており、吊掛部は縦方向切断部によって区切られる領域ごとに開口穴部が設けられ、室内を通り抜けすることができる出入口や開口部の高さ方向支持部材の間にシートを設置し、室内の出入口や開口部の上部の横方向支持部材から床や横方向開口部材までシートによって覆われているため、カーテンレールが設けられていない場所であっても、例えば、開口穴部に棒を通すことによって、本考案にかかる冷気の侵入および流出防止シートを出入口や開口部の高さ方向支持部材の間に設置することができ、室内の出入口や開口部を覆うことで冷気の侵入および流出を防止することができる。
また、本考案にかかる冷気の侵入および流出防止シートは、糸で形成されており、又は編成または織成された糸に、樹脂製のフィルム若しくはシートを貼着又は樹脂を含浸させて形成されており、横方向切断部において、一方の臨界端縁と他方の臨界端縁との間が、切断することができる間隔を有して、シートの左辺部から右辺部に亘って連続して設けられており、横方向の臨界端縁と縦方向の支持糸とが直交するように形成されているため、横方向切断部に沿って切断することにより、横糸を切断することなく、上下方向の長さを調整することができる。
【考案の効果】
【０００９】
本考案により、シートの長さを微調整することが可能な冷気の侵入および流出防止シート提供することができ、冷気の侵入および流出を防止することができる。
【００１０】
本考案の上述の目的、その他の目的、特徴及び利点は、図面を参照して行う以下の考案を実施するための形態の説明から一層明らかとなろう。
【図面の簡単な説明】
【００１１】
【図１】本考案に係る冷気の侵入および流出防止シートの正面図である。
【図２】（ａ）は、本考案に係る冷気の侵入および流出防止シートを設置した場合の正面図である。（ｂ）は、本考案に係る冷気の侵入および流出防止シートを示す図２（ａ）のＢ−Ｂ線における断面図である。
【図３】本考案に係る冷気の侵入および流出防止シートを設置し、冷気の侵入および流出防止シートを畳んだ場合の正面図である。
【図４】本考案に係る冷気の侵入および流出防止シートの上下方向の長さを設置場所にあわせて調整をする模式図である。
【図５】本考案に係る冷気の侵入および流出防止シートを出入口に設置した一例を示す図である。
【図６】本考案に係る冷気の侵入および流出防止シートを開口部に設置した一例を示す図である。
【図７】（ａ）は、本考案に係る冷気の侵入および流出防止シートの一例であって、図１のＡ部に相当する部分の拡大写真である。（ｂ）は、本考案に係る冷気の侵入および流出防止シートの一例を示す図７（ａ）のＣ部拡大図である。
【図８】（ａ）は、従来の冷気の侵入および流出防止シートを設置した場合の正面図である。（ｂ）は、従来の冷気の侵入および流出防止シートを示す図８（ａ）のＤ−Ｄ線における断面図である。
【考案を実施するための形態】
【００１２】
（冷気の侵入および流出防止シート１０）
本考案に係る冷気の侵入および流出防止シート１０について、図１を用いて説明する。図１は、本考案に係る冷気の侵入および流出防止シートの正面図である。
【００１３】
ここで、図１において、冷気の侵入および流出防止シート１０を設置した場合に、冷気の侵入および流出防止シート１０の長手方向となる方向を上下方向とし、冷気の侵入および流出防止シート１０の短手方向となる方向を左右方向とする。
【００１４】
本考案に係る冷気の侵入および流出防止シート１０は、矩形であり、厚さが薄い扁平状のものである。特に、冷気の侵入および流出防止シート１０を設置した場合に、左右方向の長さよりも上下方向の長さの方が長い長方形であることが望ましい。冷気の侵入および流出防止シート１０を正面から見て上辺側を上辺部１０ａとし、上辺部１０ａに相対する辺を下辺部１０ｂとする。また、冷気の侵入および流出防止シート１０を正面から見て左辺側を左辺部１０ｃとし、左辺部１０ｃに相対する辺を右辺部１０ｄとする。冷気の侵入および流出防止シート１０は、例えば、上下方向の長さが２００ｃｍ、左右方向の長さが１００ｃｍのシートである。
【００１５】
冷気の侵入および流出防止シート１０は、地組織１２と吊掛部１４とを含む。地組織１２と吊掛部１４とは、一体的に形成される。冷気の侵入および流出防止シート１０は、例えば、ポリエステル、アクリル、レーヨン、綿の糸で編成または織成されたシートやビニール等の樹脂製シートである。冷気の侵入および流出防止シート１０は、編成又は織成された糸に、樹脂製のフィルム又はシートを貼着したり、樹脂を含浸させたりすることで、断熱効果を高め、より冷気の侵入および流出を防ぐことができる。特に、冷気の侵入および流出防止シート１０は、はさみ等により切断可能なシートであることが好ましい。また、撥水加工、遮光、防炎機能などを備えるシートであってもよい。冷気の侵入および流出防止シート１０を糸により形成した場合、糸は、例えば直径１０μｍないし３０μｍの糸を使用する。冷気の侵入および流出防止シート１０は、例えば、図７（ｂ）のように、縦方向の支持糸３６ａと隣接する他の支持糸３６ｂとの間に横糸３４を架け渡すことによって編成される。また、冷気の侵入および流出防止シート１０の地組織１２は、透光性を有し、例えば、レース調の模様が形成されていても良い。したがって、冷気の侵入および流出防止シート１０を設置したとしても、閉塞感を感じない。また、他方側の様子が冷気の侵入および流出防止シート１０を通して間接的に見ることができ、防犯面でも安心して設置が可能である。
【００１６】
冷気の侵入および流出防止シート１０には、上下方向である長手方向と平行に複数の縦方向切断部２２が設けられている。また、縦方向切断部２２は、冷気の侵入および流出防止シート１０の上辺部１０ａから下辺部１０ｂに亘って連続して設けられ、冷気の侵入および流出防止シート１０の左右方向に等間隔に設けられている。縦方向切断部の間隔は、例えば約１０ｃｍである。縦方向切断部２２は、添付図面において図７を除き、便宜上破線で示す。
冷気の侵入および流出防止シート１０を糸で形成する場合、縦方向切断部２２は、例えば、図７（ａ）のように、３目ごとに編成され形成される。また、冷気の侵入および流出防止シート１０の左辺部１０ｃならびに右辺部１０ｄ、および縦方向切断部２２の編成されていない部分は、ほつれ止め処理がなされている。ほつれ止め処理とは、端部がほつれてしまうことを防止するために、例えば、糸の端を地組織に編み込んだり、端部を接着剤等で固めたりする処理のことである。
また、冷気の侵入および流出防止シート１０を樹脂製のシートで形成する場合、縦方向切断部２２は、例えば、破線状に切断し、形成される。
したがって、縦方向切断部２２は、他の冷気の侵入および流出防止シート１０の部分よりも粗く形成されており、柔らかく容易に屈曲することができる。縦方向切断部２２が設けられていることにより、容易に左右方向に折りたたむことができる。また、設置する場所の幅が狭い場合であっても、縦方向切断部２２に沿って切断することにより、冷気の侵入および流出防止シート１０の左右方向の長さを短くすることができる。
【００１７】
また、冷気の侵入および流出防止シート１０は、上下方向である長手方向と垂直に複数の横方向切断部３２が設けられている。横方向切断部３２は、冷気の侵入および流出防止シート１０の左辺部１０ｃから右辺部１０ｄに亘って連続して設けられている。横方向切断部３２は、添付図面において図７を除き、便宜上破線で示す。
冷気の侵入および流出防止シート１０を糸で形成する場合、横方向切断部３２は、例えば、図７（ｂ）のように、横糸３４を各々平行に間引き、空間が形成される。したがって、横方向切断部３２は、縦方向の支持糸３６のみが存在しており、他の部分と比べて生地の厚さが薄くなっている。また、横方向切断部３２に隣接する横糸３４において、ほつれ止め処理がなされている。
さらに、横方向切断部３２において、図７（ｂ）のように、横方向切断部３２を挟んで上側の横糸を上側の臨界端縁３４ａと、下側の横糸を下側の臨界端縁３４ｂとする。上側の臨界端縁３４ａと下側の臨界端縁３４ｂとの間は、はさみ等によって切断することができる間隔を有して冷気の侵入および流出防止シート１０の左辺部１０ｃから右辺部１０ｄに亘って連続して設けられている。また、横方向切断部３２において、縦方向の支持糸３６ａと隣接する他の支持糸３６ｂとによって横方向切断部３２の空間を支持している。縦方向の支持糸３６ａと隣接する他の支持糸３６ｂとは平行である。横方向の臨界端縁３４ａ、３４ｂと縦方向の支持糸３６ａ、３６ｂとは直交する。
また、冷気の侵入および流出防止シート１０を樹脂製のシートで形成する場合、横方向切断部３２は、例えば、破線状に切断し、形成される。
したがって、横方向切断部３２は、他の冷気の侵入および流出防止シート１０の部分よりも粗く形成されており、柔らかく容易に屈曲することができる。また、設置場所の高さが低い場合であっても、横方向切断部３２に沿って冷気の侵入および流出防止シート１０を切断することにより、冷気の侵入および流出防止シート１０の上下方向の長さを短くすることができる。よって、設置場所の高さにあわせて冷気の侵入および流出防止シート１０の上下方向の長さを微調整することができ、冷気の侵入および流出防止シート１０の下辺部１０ｂと床との間から侵入または流出する冷気を防止することができる。
【００１８】
さらに、冷気の侵入および流出防止シート１０の地組織１２は、例えば、横方向切断部３２の間隔が広い領域である第１の領域４０と、横方向切断部３２の間隔が中程度の広さの領域である第２の領域４２と、横方向切断部３２の間隔が狭い領域である第３の領域４４との３種類の異なる間隔によって区切られる領域を有する。
第１の領域４０は、地組織１２の上辺部１２ａから下の部分であって、横方向切断部３２の間隔４０ａが広い領域である。第１の領域４０は、冷気の侵入および流出防止シート１０の約４５％を占める。第１の領域４０の下端にある横方向切断部３２において冷気の侵入および流出防止シート１０を切断することにより、冷気の侵入および流出防止シート１０の上下方向の長さが約９０ｃｍとなる。したがって、高さが約９０ｃｍの腰高窓等の開口部に設置することが可能である。
第２の領域４２は、第１の領域４０の下端から下の部分であって、横方向切断部３２の間隔４２ａが他の領域と比較して中程度の広さの領域である。第２の領域４２は、冷気の侵入および流出防止シート１０の約４０％を占める。第２の領域４２は、横方向切断部３２が等間隔に設けられており、第２の領域の横方向切断部３２の間隔４２ａは、例えば、約１０ｃｍである。第２の領域４２に設けられた横方向切断部３２において冷気の侵入および流出防止シート１０を切断することにより、冷気の侵入および流出防止シート１０の上下方向の長さが約９０ｃｍから約１８０ｃｍまで約１０ｃｍごとに調整が可能である。したがって、高さが約９０ｃｍから約１８０ｃｍまでの腰高窓等の開口部に設置することが可能である。
第３の領域４４は、第２の領域４２の下端から下の部分であって、地組織１２の下辺部１２ｂまでの横方向切断部３２の間隔４４ａが狭い領域である。第３の領域４４は、冷気の侵入および流出防止シート１０の約１０％を占める。第３の領域４４は、横方向切断部３２が等間隔に設けられており、第３の領域の横方向切断部の間隔４４ａは、例えば、約３ｃｍである。第３の領域４４に設けられた横方向切断部３２において冷気の侵入および流出防止シート１０を切断することにより、冷気の侵入および流出防止シート１０の上下方向の長さが約１８０ｃｍから約２００ｃｍまで約３ｃｍごとに調整が可能である。したがって、高さが約１８０ｃｍから約２００ｃｍまでの扉のない開口部や階段等の出入口に設置することが可能である。
したがって、設置場所の高さにあわせて冷気の侵入および流出防止シート１０の上下方向の長さを微調整することができる。
【００１９】
冷気の侵入および流出防止シート１０の吊掛部１４は、例えば、地組織１２の上辺部１２ａに横方向切断部３２を介して形成される。吊掛部１４は、冷気の侵入および流出防止シート１０の約５％を占める。吊掛部１４には、縦方向切断部２２によって区切られる領域２４ごとに上下方向が長軸となる楕円の開口穴部１６が設けられている。開口穴部１６の形状は楕円に限定されず、円形や三角形等の種々の形状をとることができる。開口穴部１６に棒７０を通し、出入口や開口部の高さ方向支持部材６０、６０の間に設置することで、冷気の侵入および流出防止シート１０を吊るすことができる。
また、吊掛部１４が形成されない場合は、環状の取付具がついたクリップを地組織１２の上辺部１２ａに取り付け、環状の取付具を棒やカーテンレール等に通すことにより、冷気の侵入および流出防止シート１０を吊るすことができる。
【００２０】
（冷気の侵入および流出防止シート１０の製造方法）
冷気の侵入および流出防止シート１０を糸で編成する場合は、例えば、たて編機によって編成される。開口穴部１６、縦方向切断部２２および横方向切断部３２は、針抜きをする位置を設定することにより、編成時に形成される。
また、冷気の侵入および流出防止シート１０を樹脂製のシート等で編成する場合は、例えば、シートに穴をあけて開口穴部１６を設け、縦方向切断部２２および横方向切断部３２は切り込みを入れる等により形成される。
【００２１】
（冷気の侵入および流出防止シート１０の設置方法）
次に、冷気の侵入および流出防止シート１０を、例えば、扉のない間仕切りや階段に設置する場合について、図２ないし図６に基づいて説明する。図２（ａ）は、本考案に係る冷気の侵入および流出防止シートを設置した場合の正面図である。図２（ｂ）は、本考案に係る冷気の侵入および流出防止シートを示す図２（ａ）のＢ−Ｂ線における断面図である。図３は、本考案に係る冷気の侵入および流出防止シートを設置し、冷気の侵入および流出防止シート１０を畳んだ場合の正面図である。図４は、本考案に係る冷気の侵入および流出防止シート１０の上下方向の長さを設置場所にあわせて調整をする模式図である。図５は、本考案に係る冷気の侵入および流出防止シートを出入口に設置した一例を示す図である。図６は、本考案に係る冷気の侵入および流出防止シートを開口部に設置した一例を示す図である。
【００２２】
ここで、図２ないし図６において、冷気の侵入および流出防止シート１０を設置した場合に、冷気の侵入および流出防止シート１０の長手方向となる方向を高さ方向とし、冷気の侵入および流出防止シート１０の短手方向となる方向を幅方向とする。
【００２３】
冷気の侵入および流出防止シート１０は、例えば、図２（ａ）に示すように、吊掛部１４の開口穴部１６に棒７０を通して、扉のない間仕切りや階段の室内を通り抜けすることができる出入口や開口部の高さ方向支持部材６０、６０の間にシートを設置する。
まず、吊掛部１４の開口穴部１６に棒７０を通す。
次に、扉のない間仕切りや階段の上部の高さ方向支持部材６０、６０の間に棒７０を設置する。このとき、扉のない間仕切りや階段の上部の横方向支持部材６２と冷気の侵入および流出防止シート１０の上辺部１０ａとの間に隙間ができないように設置することが好ましい。
最後に、図４に示すように、冷気の侵入および流出防止シート１０の下辺部１０ｂを設置場所にあうように、横方向切断部３２に沿ってはさみ７２等により切断する。このとき、図２（ｂ）および図５に示すように、冷気の侵入および流出防止シート１０の下辺部１０ｂと床との間から冷気が侵入または流出することを防止するために、冷気の侵入および流出防止シート１０が撓む長さに切断することが好ましい。また、図６に示すように、冷気の侵入および流出防止シート１０を腰高窓や出窓などの住居の間口部に設置する場合、冷気の侵入および流出防止シート１０の下辺部１０ｂと横方向開口部材６４との間から冷気が侵入または流出することを防止するために、横方向開口部材６４の位置よりも長く切断することが好ましい。
また、設置場所の幅が狭い場合は、縦方向切断部２２に沿って切断することによって、冷気の侵入および流出防止シート１０を狭くすることもできる。
【００２４】
（効果）
日本の住居において、扉等は約１８０ｃｍから２５０ｃｍまでの高さであることが多い。
従来の冷気の侵入および流出防止シート８０（従来の織成布）は、図８に示すように、約１０ｃｍ単位で上下方向の長さを調整するための横方向切断部９２が設けられていた。しかし、高さ方向（上下方向）の長さを約１０ｃｍ単位で調整することしかできず、冷気の侵入および流出防止シート８０の下辺部８０ｂから床の間に隙間ができていた。この隙間から冷気の侵入および流出防止シート８０により仕切られた他方側の空間へ冷気が侵入していた。また、従来の冷気の侵入および流出防止シート８０は、従来の冷気の侵入および流出防止シート８０と床との間に隙間ができないように横方向切断部９２がない部分で裁断する場合もあり、従来の冷気の侵入および流出防止シート８０の下辺部８０ｂが床と擦れることによって、冷気の侵入および流出防止シート８０の下辺部８０ｂがほつれてしまうこともあった。
一方、本考案に係る冷気の侵入および流出防止シート１０の上下方向の長さを設置場所にあわせて調整する場合に、約３ｃｍ単位で微調整が可能な第３の領域４４を有することにより、設置場所の高さに合う位置の横方向切断部３２に沿って切断することができる。また、横方向切断部３２に隣接する横糸において、ほつれ止め処理がなされているため、横方向切断部３２において、切断したとしても、ほつれることはない。
【００２５】
また、日本の住居において、腰高窓や出窓などの間口部等は約９０ｃｍから約１８０ｃｍまでの高さであることが多い。本考案に係る冷気の侵入および流出防止シート１０の上下方向の長さを設置場所にあわせて調整する場合に、約９０ｃｍから約１８０ｃｍまで約１０ｃｍ単位で微調整が可能な第２の領域４２を有することにより、設置場所の高さに合う位置の横方向切断部３２に沿って切断することもできる。
【００２６】
また、設置場所の幅が狭い場合は、縦方向切断部２２に沿って切断することによって、冷気の侵入および流出防止シート１０を狭くすることができ、設置場所にあわせて幅方向の調整も可能である。
【００２７】
また、本考案に係る冷気の侵入および流出防止シート１０を設置した状態で、幅方向の一方側に冷気の侵入および流出防止シート１０を移動させると、図３に示すように、縦方向切断部２２において屈曲が容易となるため、冷気の侵入および流出防止シート１０がアコーディオン状に折りたたまれ、冷気の侵入および流出防止シート１０の幅方向に狭くなり、コンパクトとなる。これにより、冷気の侵入および流出を防止することができるとともに通行の障害とはならない。
【００２８】
また、冷気の侵入および流出防止シート１０の幅方向の中央にある縦方向切断部２２を切断することによって、暖簾のように使用することも可能である。また、設置場所の幅が広い場合は、冷気の侵入および流出防止シート１０を２枚設置することにより、幅方向の両側へ折りたたむことができ、通行の障害とはならない。
【００２９】
さらに、冷気の侵入および流出防止シート１０は、透光性を有することが望ましく、地組織１２は、レース調の柄を織り込んでもよい。透光性を有することにより、冷気の侵入および流出防止シート１０によって仕切られた両側へ光を透過することができる。したがって、冷気の侵入および流出防止シート１０を設置したとしても、閉塞感を感じない。また、冷気の侵入および流出防止シート１０は適度な透け感があり、他方側の様子が冷気の侵入および流出防止シート１０を通して間接的に見ることができ、防犯面でも安心して設置が可能である。
【００３０】
冷気の侵入および流出防止シート１０の縦方向切断部２２に沿ってアコーディオン状に折りたたむことにより、コンパクトになり、洗濯や保管がしやすくなる。
【００３１】
以上のように、本考案の実施の形態は、前記記載で開示されているが、本考案は、これに限定されるものではない。
すなわち、本考案の技術的思想及び目的の範囲から逸脱することなく、以上説明した実施の形態に対し、機序、形状、材質、数量、位置又は配置等に関して、様々の変更を加えることができるものであり、それらは、本考案に含まれるものである。
【００３２】
上述した地組織１２の横方向切断部３２の間隔は、例示であり、例えば、上から順に横方向切断部３２の間隔が中程度の領域である第２の領域、横方向切断部３２の間隔が広い領域である第１の領域４０、横方向切断部３２の間隔が最も狭い領域である第３の領域４４の順で形成されていても良い。
また、本実施の形態では、横方向切断部３２の間隔は３種類であるが、３種類以上、例えば５種類の横方向切断部３２の間隔が異なる領域が設けられていても良い。これにより、設置場所にあわせて微調整が可能な範囲が多くなり、設置場所も扉のない間仕切りや階段だけでなく、台所のカウンター窓や脱衣所の間仕切りにも使用可能である。
【符号の説明】
【００３３】
１０  冷気の侵入および流出防止シート
１２  地組織
１４  吊掛部
１６  開口穴部
２２  縦方向切断部
２４  縦方向切断部によって区切られる領域
３２  横方向切断部
３４ａ、３４ｂ  臨界端縁
３６ａ、３６ｂ  支持糸
４０  第１の領域
４０ａ  第１の領域の横方向切断部の間隔
４２  第２の領域
４２ａ  第２の領域の横方向切断部の間隔
４４  第３の領域
４４ａ  第３の領域の横方向切断部の間隔
７０  棒
７２  はさみ
８０  従来の冷気の侵入および流出防止シート（織成布）
８４  従来の冷気の侵入および流出防止シートの吊掛部
８６  従来の冷気の侵入および流出防止シートの開口穴部
９２  従来の冷気の侵入および流出防止シートの縦方向切断部（粗縦糸部）
９４  従来の冷気の侵入および流出防止シートの横方向切断部（粗横糸部）
【図１】
0003218696.tif 000003
【図２】
0003218696.tif 000004
【図３】
0003218696.tif 000005
【図４】
0003218696.tif 000006
【図５】
0003218696.tif 000007
【図６】
0003218696.tif 000008
【図７】
0003218696.tif 000009
【図８】
0003218696.tif 000010